(57)【要約】      （修正有）【課題】抗菌成分等の有効成分を効率よく利用することが可能な機能性表層を有する発泡材を提供する。【解決手段】機能性表層を有する発泡材は、発泡層と複数の機能層とからなり、発泡層の頂面、底面又はその周辺位置に、上述の機能層を設けたものである。かかる構造を有することから、前記の機能層は発泡層の表面だけに突出した形状で設けられるので、使用に際しては、機能層にドープされた、抗菌、抗電磁波、防滑、抗紫外線、防カビの各成分の効果を効率よく発揮し、且つ、製造コストを大幅に減少できる。【選択図】図３
0003153939.tif 000002
【実用新案登録請求の範囲】
【請求項１】
機能性表層を有する発泡材であって、
少なくとも一発泡材が発泡してなる発泡層と、前記発泡層の頂面、その底面又は周辺の少なくともいずれかに設置される少なくとも一つの機能層と
からなることを特徴とする機能性表層を有する発泡材。
【請求項２】
前記発泡層と前記機能層は、一体化発泡結合してなることを特徴とする請求項１に記載の機能性表層を有する発泡材。
【請求項３】
前記発泡材は、エチレン−酢酸｛さくさん｝ビニール（Ethylene Vinyl Acetate、EVA）共重合体であることを特徴とする請求項１に記載の機能性表層を有する発泡材。
【請求項４】
前記機能層は、機能材を発泡させてなることを特徴とする請求項１に記載の機能性表層を有する発泡材。
【請求項５】
前記機能層は、抗菌層であり、該抗菌層は前記機能材内に抗菌成分をドープしてなることを特徴とする請求項４に記載の機能性表層を有する発泡材。
【請求項６】
前記機能層は、抗電磁波層であり、該抗電磁波層は前記機能材内に抗電磁波成分をドープしてなることを特徴とする請求項４に記載の機能性表層を有する発泡材。
【請求項７】
前記機能層は、防滑層であり、該防滑層は前記機能材内に防滑成分をドープしてなることを特徴とする請求項４に記載の機能性表層を有する発泡材。
【請求項８】
前記機能層は、抗紫外線層であり、該抗紫外線層は、前記機能材内に抗紫外線成分をドープしてなることを特徴とする請求項４に記載の機能性表層を有する発泡材。
【請求項９】
前記機能層は、防カビ層であり、該防カビ層は前記機能材内に防カビ成分をドープしてなることを特徴とする請求項４に記載の機能性表層を有する発泡材。
【請求項１０】
前記機能材内に少なくとも二種の機能成分をドープしてなり、且つ、これらの機能成分は、抗菌成分、抗電磁波成分、防滑成分、抗紫外線成分、および防カビ成分の組み合わせから選択された少なくとも一種の組み合せからなることを特徴とする請求項４に記載の機能性表層を有する発泡材。
【請求項１１】
前記発泡層は、複数の発泡材を発泡させてなるものであり、且つ、前記発泡材は化学ポリマーであることを特徴とする請求項１に記載の機能性表層を有する発泡材。

【考案の詳細な説明】
【技術分野】
【０００１】
本考案は、機能性表層を有する発泡材に関するものであり、さらに詳しくは、抗菌成分、抗紫外線成分、抗電磁波成分、防滑成分および防カビ成分をドープしてなる機能層と発泡層とからなる機能性表層を有する発泡材に関するものである。
【背景技術】
【０００２】
従来、図１で示されるように、発泡体１は、主に、防カビ抗菌効果を有する漢方草本抽出物等の有効成分とビニール系樹脂からなる発泡材料を一体融合し、これを発泡処理したものが提案されている。
【０００３】
前記の発泡体１の構造によれば、防カビ抗菌効果を達成することができるが、防カビ抗菌作用は、前記発泡体１の表層のみで効果を発揮するものであり、発泡体１内層に含有される漢方草木抽出物等の有効成分は防カビ作用に関与させることができないので有効成分を無駄に含有させることになり、その結果として製造コストが増加するという問題があった。
【考案の開示】
【考案が解決しようとする課題】
【０００４】
前記の如き、従来の発泡体の構造上の問題点に鑑み、本考案の課題は、内部に含有する有効成分の利用可能な表層構造を有する発泡材を提供することにあり、特に、機能性表層を有する発泡材を提供する点にある。        
【課題を解決するための手段】
【０００５】
従って、本考案者は、前記課題を解決するために鋭意検討を重ねた結果、発泡層に複数の突出した機能層を設けることにより前記問題点を解消し、前記課題を解決できることに着目し、かかる知見に基づいて本考案を想到するに至った。
すなわち、本考案に係る機能性表層を有する発泡材は、発泡層と複数の機能層とからなり、発泡層の頂面又は底面又は周辺位置に、上述の機能層を設置する。これにより、上述の機能層は発泡層の表面だけに設置されるので、使用上、抗菌、抗電磁波、防滑、抗紫外線、防カビの効能を効率よく発揮し、且つ、少量の有効成分でよいので製造コストを大幅に低減することができる。
かくして、本考案によれば、機能性表層を有する発泡材であって、少なくとも一発泡材が発泡してなる発泡層と、
前記発泡層頂面又はその底面又は周辺に設置される少なくとも一つの機能層と
からなることを特徴とする機能性表層を有する発泡材が提供される。
本考案によれば、前記の通り、発泡層と該発泡層の頂面、底面または周辺に設けられる少なくとも一つの機能層とからなる機能性層を有する発泡材が提供されるが、好ましい実施の態様として次の１）〜１０）に掲げるものを包含する。
１）前記発泡層と前記機能層は、一体化発泡による結合からなる前記機能性表層を有する発泡材。
２）前記発泡材は、エチレン−酢酸ビニール（Ethylene Vinyl Acetate、EVA）共重合体である前記機能性表層を有する発泡材。
３）前記機能層は、機能材を発泡させてなる前記機能性表層を有する発泡材。
４）前記機能層は、抗菌層であり、該抗菌層は前記機能材内に抗菌成分がドープされてなる前記機能性表層を有する発泡材。
５）前記機能層は、抗電磁波層であり、該抗電磁波層が前記機能材内に抗電磁波成分をドープされてなる前記機能性表層を有する発泡材。
６）前記機能層は、防滑層であり、該防滑層は前記機能材内に防滑成分がドープされてなる前記機能性表層を有する発泡。                                            
７）前記機能層は、抗紫外線層であり、該抗紫外線層が前記機能材内に抗紫外線成分がドープされてなる前記機能性表層を有する発泡材。
８）前記機能層は、防カビ層であり、該防カビ層は前記機能材内に防カビ成分がドープされてなる前記機能性表層を有する発泡材。
９）前記機能材内に少なくとも二種の機能成分をドープしてなり、且つ、これらの機能成分は、抗菌、抗電磁波、防滑、抗紫外線、および、防カビの組み合わせから選択されてなる前記機能性表層を有する発泡材。
１０）前記発泡層は、複数の発泡材を発泡させてなるものであり、且つ、前記発泡材は化学ポリマーである前記機能性表層を有する発泡材。
【考案の効果】
【０００６】
本考案の機能性表層を有する発泡材の前記構成により、抗菌、抗電磁波、防滑、抗紫外線、防カビの効能を少量で効率よく発揮し、且つ、製造コストを大幅に減少することができる。
【考案を実施するための最良の形態】
【０００７】
次に、本発明に係る機能性表層を有する発泡材について図面によりさらに詳細に説明する。      
図２は、本考案の機能性表層を有する発泡材の好ましい実施例を示す図であり、発泡結合前に、複数の発泡材１０を互いに重畳して、厚さを調整し、発泡材１０の外側の頂底両面に、それぞれ機能材２０を設置する。発泡材１０および機能材２０は、発泡成形金型（図示しない）に入れ通常の操作により型物成形による発泡成形を行なう。発泡材１０は、適宜、選択して採用することができるが、特に、熱可塑性樹脂、例えば、ポリオレフィン系樹脂、ポリスチレン系樹脂、アクリル系高分子、ポリビニールエーテル類、ポリ酢酸ビニル系樹脂等を用途に応じて選択して用いることができ、特に、エチレン−酢酸ビニール共重合体（Ethylene Vinyl Acetate、EVA）が好適である。
また、機能材についても適宜採用すればよい。機能材としては、本考案の効果を阻害しない材料であれば、特に限定されるものでなく、通常採用される材料であり、熱可塑性樹脂でよく、発泡材と同一又は異なるものでもよい。機能材２０内部には、抗菌成分、抗電磁波成分、防滑成分、抗紫外線成分又は防カビ成分がドープされたものである。これらの成分は、通常、一般に用いられるものでよく、例えば、抗紫外線成分としては、ベンゾトリアゾール系紫外線吸収剤、ベンゾフェノン系紫外線吸収剤等を例示することができる。
【０００８】
図３および図４で示されるように、発泡材１０および機能材２０は、発泡成形金型により一体化発泡結合後、以下に説明するような構造に形成する。
【０００９】
すなわち、発泡層３０は、発泡材１０を発泡処理することにより形成されたものであり、発泡層３０は板体に形成されたものである。
【００１０】
図３に示される複数の機能層４０は、機能材２０を発泡して形成され、機能層４０は一体化発泡させて、発泡層３０の頂底両面に結合する。本考案の好ましい実施例中、機能層４０は、抗菌層、抗電磁波層、防滑層、抗紫外線層又は防カビ層であり、従って、機能層４０は、抗菌、抗電磁波、防滑、抗紫外線および防カビ等の効能を発揮する。また、機能層４０は、発泡層３０の他の一側に対応して、発泡成形金型により複数の凸縁４１を成型して、外観全体の美観を増加させることができる。
【００１１】
本考案の他の実施例中、機能材２０内に、多種の機能成分をドープし、且つ、これらの機能成分は、抗菌成分、抗電磁波成分、防滑成分、抗紫外線成分および防カビ成分の組み合わせから選択して用いることができ、これにより、発泡後の機能層４０が複数の作用を有するものとすることもできる。
【００１２】
また図４で示されるように、これらの機能層４０は、それぞれ発泡層３０の表面両側に設置され、機能層４０により上述の効能を達成する。また、この機能層４０は発泡層３０の表面だけに設置されるので、発泡層３０の内部に他の成分がドープされることがなく、有効成分を含有する発泡材の製造に必要なコストも低減させることができる。        
【図面の簡単な説明】
【００１３】
【図１】従来の防カビ抗菌作用を有する発泡体の断面図である。
【図２】本考案に係る機能性表層を有する発泡材の発泡処理前の構造図である。
【図３】本考案に係る機能性表層を有する発泡材の発泡処理後の立体図である。
【図４】図３に示す本発明に係る機能性表層を有する発泡材の断面図である。
【符号の説明】
【００１４】
１    発泡体
１０  発泡材
２０  機能材
３０  発泡層
４０  機能層
４１  凸縁
【図１】
0003153939.tif 000003
【図２】
0003153939.tif 000004
【図３】
0003153939.tif 000005
【図４】
0003153939.tif 000006